(57)【特許請求の範囲】
【請求項１】
予め保管されている医用画像を保管先から取得して表示するとともに、操作手段の操作に応じて読影レポートを作成するレポート作成支援システムであって、
人体の各種区域を識別する人体区域情報を予め記憶すると共に前記人体区域情報とこの人体区域情報を表すオブジェクトとを関連づけて記憶する記憶手段と、
レポート作成画面と前記医用画像と前記オブジェクトとを表示する表示手段と、
文字列の入力操作に応じて、前記読影レポートに文字列を記録する文字列入力手段と、
ドラッグされた医用画像が前記オブジェクトにドロップされるリンク付け操作を受けて、ドラッグされた医用画像のリンク情報とドロップされた前記オブジェクトと関連づけられた前記人体区域情報とを前記読影レポートに記録するリンク付け手段と、
を備えること、
を特徴とするレポート作成支援システム。
【請求項２】
作成された読影レポートとこの読影レポートに記録された前記人体区域情報とを対応づけてデータベースに登録する登録手段と、
検索条件として人体区域情報が指定されると、前記データベースに基づき、該検索条件となった該人体区域情報に対応づけられた読影レポートを検索する検索手段と、
をさらに備えること、
を特徴とする請求項１記載のレポート作成支援システム。
【請求項３】
前記リンク付け手段は、前記リンク付け操作に伴い記録される前記リンク情報又は前記読影レポートのヘッダに付帯させて前記人体区域情報を前記読影レポートに記録すること、
を特徴とする請求項１又は２に記載のレポート作成支援システム。
【請求項４】
前記検索手段は、該当する読影レポートを識別する情報として前記人体区域情報が付帯した前記リンク情報が示す保管先の医用画像を掲載した前記リストを作成すること、
を特徴とする請求項３記載のレポート作成支援システム。
【請求項５】
前記人体区域情報は、臓器を示す臓器情報であること、
を特徴とする請求項１乃至４のいずれかに記載のレポート作成支援システム。
【請求項６】
前記表示手段は、前記オブジェクトを予め規定された表示位置関係となるような位置に表示することを特徴とする請求項１乃至５のいずれかに記載のレポート作成支援システム。
【請求項７】
前記リンク付け手段は、ドラッグされた医用画像の保管先アドレスを含めたリンクタグとその終了ダグを作成し、
リンクタグとその終了タグによる指定範囲となっている文字列で囲むように読影レポートに記録することを特徴とする請求項１乃至６のいずれかに記載のレポート作成支援システム。
【請求項８】
医用画像を表示するとともに、操作手段の操作に応じて読影レポートを作成するレポート作成装置であって、
人体の各種区域を識別する人体区域情報を予め記憶すると共に前記人体区域情報とこの人体区域情報を表すオブジェクトとを関連づけて記憶する記憶手段と、
レポート作成画面と前記医用画像と前記オブジェクトとを表示する表示手段と、
文字列の入力操作に応じて、前記読影レポートに文字列を記録する文字列入力手段と、  ドラッグされた医用画像が前記オブジェクトにドロップされるリンク付け操作を受けて、ドラッグされた医用画像のリンク情報とドロップされた前記オブジェクトと関連づけられた前記人体区域情報とを前記読影レポートに記録するリンク付け手段と、
を備えること、
を特徴とするレポート作成装置。
【発明の詳細な説明】
【技術分野】
【０００１】
本発明は、操作に対応して読影レポートを作成するとともに、医用画像をこの読影レポートにリンク付けするレポート作成支援システム及びレポート作成装置に関する。
【背景技術】
【０００２】
Ｘ線ＣＴ装置やＭＲＩ装置や超音波診断装置や核医学診断装置等の医用画像診断装置で発生した医用画像データは、画像を管理する画像サーバで管理されてネットワーク内の端末で閲覧できるようになっている。読影レポートの作成を支援するレポート作成装置では、画像サーバから医用画像を受信してモニタに表示する。表示された医用画像を読影して、レポート作成装置を用いて読影結果を読影レポートにまとめる。
【０００３】
レポート作成装置では、医用画像を読影レポートにリンク付けする場合もある。レポート作成装置は、この医用画像のリンク付け処理において、医用画像の保管先を示すリンク情報を生成し、そのリンク情報を読影レポートに記録する（例えば、「特許文献１」参照。）。
【０００４】
また、読影医は、読影する際に過去の症例を参照したい場合もある。レポート作成装置は、検索クライアントとしての機能を有するのが一般的である。読影医は、参照したい読影レポートに含まれているであろうフレーズをレポート作成装置に入力して過去の読影レポートを検索させていた。検索条件として入力可能なフレーズとしては、レポートを識別する情報として所見欄以外のヘッダ等に記録されているレポートＩＤや病名や検査部位や検査日付、または読影レポートの所見欄に入力された読影結果を記述するフレーズである。
【０００５】
読影医は、疑いのある部位や臓器や更にこれらの細分化された区域に対する他の症例を参考にしたい場合がある。レポート情報には頭部や腹部等の人体の部位を示す検査部位情報が含まれるため、この部位を基準にした各種の区域で読影レポートを検索し、他の症例を参考にすることはできる。
【０００６】
しかし、読影医は、部位とは異なる基準で区分された区域についての他の症例を参考にしたい場合もある。例えば、胃や肺等の臓器を基準とした区域に対する他の症例を参考にしたい場合や、胃上部等の臓器をさらに細分化した区域に対する他の症例を参考にしたい場合や、肩等の部位を更に細分化した区域に対する他の症例を参考にしたい場合がある。このような部位とは違った基準で区分される区域については、レポート情報にその識別情報が含まれていないため、レポート情報を検索範囲として読影レポートを検索することは困難である。
【０００７】
疑いのある区域を示すフレーズを検索条件として所見欄内を全文検索することで、上記のような部位とは異なる基準で区分された区域に対する他の症例を参考にすることは一見すると可能である。しかし、所見欄内の文章は、読影医各人によって入力されるものであるため、目的とする区域を示すフレーズが含まれていなかったり、他の類義語で目的とする区域が表されていたりする。従って、疑いのある区域を示すフレーズを検索条件として所見欄内を全文検索しても、参考価値のある読影レポートが見つかる精度にばらつき生じてしまう。
【０００８】
よって、従来においては、部位とは異なる基準で区分可能な区域を検索条件として過去の読影レポートを検索することは困難であるか、または読影医に多大の労力を課していた。
【０００９】
【特許文献１】特開２００５−３０１４５３号公報
【発明の開示】
【発明が解決しようとする課題】
【００１０】
本発明は、以上の問題点に鑑みてなされたものであって、その目的は、読影レポートを人体内の一区域と結びつけて作成し、その区域を検索条件とした読影レポートの検索が可能なレポート作成支援システム及びレポート作成装置を提供することにある。
【課題を解決するための手段】
【００１１】
上記課題を解決するために、第１の態様に係る本発明では、予め保管されている医用画像を保管先から取得して表示するとともに、操作手段の操作に応じて読影レポートを作成するレポート作成支援システムであって、人体の各種区域を識別する人体区域情報を予め記憶すると共に前記人体区域情報とこの人体区域情報を表すオブジェクトとを関連づけて記憶する記憶手段と、レポート作成画面と前記医用画像と前記オブジェクトとを表示する表示手段と、文字列の入力操作に応じて、前記読影レポートに文字列を記録する文字列入力手段と、ドラッグされた医用画像が前記オブジェクトにドロップされるリンク付け操作を受けて、ドラッグされた医用画像のリンク情報とドロップされた前記オブジェクトと関連づけられた前記人体区域情報とを前記読影レポートに記録するリンク付け手段と、を備えること、を特徴とする。
【００１３】
作成された読影レポートとこの読影レポートに記録された前記人体区域情報とを対応づけてデータベースに登録する登録手段と、検索条件として人体区域情報が指定されると、前記データベースに基づき、該検索条件となった該人体区域情報に対応づけられた読影レポートを検索する検索手段と、をさらに備えるようにしてもよい（請求項２記載の発明に相当）。
【００１６】
前記リンク付け手段は、前記リンク付け操作に伴い記録される前記リンク情報に付帯させて前記人体区域情報とを前記読影レポートに記録するようにしてもよい（請求項３記載の発明に相当）。
【発明の効果】
【００１９】
本発明によれば、部位とは異なる基準で区分けされた人体内の各種区域と読影レポートを結びつけたデータベースが作成できるため、人体内の各種区域と結びつけて過去の読影レポートの検索が容易となる。
【００２０】
また、本発明によれば、ドラッグアンドドロップを行うだけで、人体区域情報と読影レポートとが結びつけられるため、そのほかの煩雑な操作をおこなう必要が無い。
【発明を実施するための最良の形態】
【００２１】
以下、本発明に係るレポート作成支援システム及びレポート作成装置の好適な各実施形態について、図面を参照しながら詳細に説明する。
【００２２】
図１は、レポート作成支援システム１の全体構成を示すブロック図である。
【００２３】
レポート作成支援システム１は、レポート作成装置２とレポート保管装置３とをネットワークＮを介して接続して構成されている。このレポート作成支援システム１は、ネットワークＮを介して画像サーバ５と接続されている。ネットワークＮには、画像診断装置４が接続されている。画像診断装置４は、例えば、Ｘ線ＣＴ装置、ＭＲＩ装置、超音波診断装置、核医学診断装置等の所謂モダリティである。
【００２４】
レポート作成装置２、レポート保管装置３、及び画像サーバ５は、いわゆるコンピュータであり、それぞれ内部に演算制御部（ＣＰＵ：Central Processing Unit）、主記憶部（ＲＡＭ：Random Access Memory）、外部記憶部（ＨＤＤ：Hard Disk Drive）、通信コントローラを備え、共通線で接続して相互にデータ入出力可能としている。レポート作成装置２は、コンピュータにキーボードやマウス等の入力デバイスと、ＣＲＴディスプレイや液晶ディスプレイ等のモニタとを接続して構成されている。それぞれの外部記憶部には、ＯＳ（オペレーティングシステム）及び各自のプログラムが記憶されている。通信コントローラは、ネットワークＮと直接接続し、例えばＷＷＷ（ワールド・ワイド・ウェブ）やＤＩＣＯＭ（Digital Imaging and COmmunications in Medicine）通信プロトコル、ＴＣＰ／ＩＰプロトコル等のデータ通信制御によりネットワークＮを介して行なうデータ通信を制御する。
【００２５】
このレポート作成支援システム１は、読影医に対して医用画像７１の読影環境及び読影レポート６０の作成環境を提供する。医用画像７１は、患者の体内画像である。読影レポート６０は、医用画像７１を読影した結果が記述されたドキュメントである。即ち、レポート作成支援システム１は、読影対象となる医用画像７１の表示、読影レポート６０の電子ファイルの作成、参考症例となる過去の読影レポート６０の検索及び表示を行う。
【００２６】
レポート作成装置２は、医用画像７１を保管先から取得して表示する。読影医が医用画像７１を読影するためである。医用画像７１の保管先は、画像サーバ５である。医用画像７１は、画像診断装置４で作成される。画像診断装置４は、患者を撮影して、その撮影結果を反映した医用画像７１を作成する。画像診断装置４は、作成した医用画像７１を画像サーバ５に送信する。画像サーバ５は、医用画像７１を画像データベースに登録して保管しておく。読影医は、医用画像７１の読影を依頼されると、レポート作成装置２を操作して、画像サーバ５から医用画像７１を取得させる。レポート作成装置２は、操作に従って読影対象の医用画像７１の保管先にアクセスし、その保管先に存在する医用画像７１を取得して表示する。
【００２７】
レポート作成装置２は、読影医の操作に応じて読影レポート６０の電子ファイルを作成する。レポート作成装置２は、読影レポート６０への文字入力のほか、医用画像７１のリンク付け処理、及び人体区域情報と読影レポート６０との結びつけを行う。
【００２８】
人体区域情報は、人体を構成別に区分けしたときの区域を識別する情報である。レポート作成装置２は、リンク付け処理される医用画像７１に写る区域を識別する人体区域情報を読影レポートに結びつける。本実施形態では、レポート作成装置２は、人体区域情報として、胃や腸や大腸等の臓器を基準にした区分けを識別する臓器情報８１（図３、図６参照）と読影レポート６０との結び付けを行う。
【００２９】
また、レポート作成装置２は、参考症例となる過去の読影レポート６０をレポート保管装置３から取得して表示する。レポート作成装置２は、読影レポート６０を、検索条件に基づく検索により取得する。
【００３０】
レポート保管装置３は、読影レポート６０をレポートデータベース３３（図４参照）に登録して保管しておく。レポート作成装置２で作成された読影レポート６０は、レポート保管装置３に送信される。過去の読影レポート６０を参照する場合、レポート保管装置３は、送信された検索条件を満たす読影レポート６０をレポートデータベース３３から検索して、該当の読影レポート６０をレポート作成装置２に送信する。
【００３１】
このようなレポート作成支援システム１において、レポート作成装置２の読影レポート６０の作成態様を説明する。図２は、レポート作成装置２で表示される画面を示す模式図である。図３は、このレポート作成装置２によって作成される読影レポート６０のデータ構成を示す図である。
【００３２】
図２に示すように、レポート作成装置２は、２台のモニタを有している。レポート作成画面表示部２１は、レポート作成画面２１１を表示するモニタである。ビューア画面表示部２２は、医用画像７１を表示するモニタである。レポート作成画面２１１は、読影レポート６０を表示する画面であり、読影レポート６０に記録されたデータが反映される。
【００３３】
読影医は、ビューア画面表示部２２に表示された医用画像７１を閲覧して読影する。そして、レポート作成画面２１１を参照しながらキーボードに配列された文字キーを押下することで読影結果を読影レポート６０にまとめていく。レポート作成画面２１１には、押下した文字キーに対応づけられている文字列６１が配置される。
【００３４】
レポート作成画面２１１には、保存処理が対応づけられたアイコン２１３が配置されている。このアイコン２１３がマウスにより押下されると、レポート作成装置２は、レポート作成画面２１１に表示中の読影レポート６０のデータ内容を確定して、レポート保管装置３に送信する。
【００３５】
ビューア画面表示部２２には、医用画像７１のほか、オブジェクト８２が表示される。オブジェクト８２は、人体の一区域を模した図形である。例えば、人体区域情報が臓器情報８１であるときには、胃や肝臓や腸を模したオブジェクト８２が表示される。
【００３６】
このオブジェクト８２は、医用画像７１のリンク付け処理を開始するドロップエリアである。マウスを操作して、医用画像７１をリンク付けしたい文字列６１の指定範囲２１２を指定した上で、リンク付けしたい医用画像７１のドラッグ操作２２１を行い、オブジェクト８２に対してドロップ操作２２２を行うと、ドラッグした医用画像７１が指定範囲２１２の文字列６１にリンク付けされる。さらに、オブジェクト８２が模している臓器を識別する臓器情報８１が読影レポート６０に記録される。
【００３７】
即ち、医用画像７１に写る臓器を模したオブジェクト８２をドロップ先とするリンク処理によって、読影対象であった臓器を識別する臓器情報８１が読影レポート６０に結びつけられる。
【００３８】
尚、ドラッグ操作２２１とは、医用画像７１をつかむこと、具体的には、医用画像７１上にカーソルを位置させてマウスのボタンを押下し、マウスのボタンの押下を維持しままマウスを移動させることである。ドロップ操作２２２とは、医用画像７１を落とすこと、具体的には、ドラッグ操作２２１において押下されているマウスのボタンを離すことである。
【００３９】
図３に示すように、読影レポート６０には、読影レポート６０を識別するレポートＩＤ６２と、文字キーの押下に対応して文字列６１が記録される。読影レポート６０の文字列６１の指定範囲２１２に医用画像７１のリンク付けが行われた場合には、リンク情報６３が記録される。
【００４０】
リンク情報６３は、リンクタグ、その終了タグ、及びリンクタグに付帯する保管先アドレス７２で構成される。リンクタグとその終了タグは、リンク付けする対象となった指定範囲２１２の文字列６１を囲むように読影レポート６０に記録される。保管先アドレス７２は、リンク付けが行われた医用画像７１の保管先を示す情報である。リンクタグには、さらに臓器情報８１が付帯する。リンクタグに付帯する保管先アドレス７２は、オブジェクト８２にドラッグされた医用画像７１の保管先である。リンクタグに付帯する臓器情報８１は、医用画像７１がドロップされたオブジェクト８２が模した臓器を識別する情報である。
【００４１】
図４は、このようなレポート作成支援システム１におけるレポート作成装置２の詳細構成を示すブロック図である。
【００４２】
レポート作成装置２は、操作部２３とテキスト入力処理部２４とレポートデータ記憶部２５と画面制御部２６と送受信部２７とオブジェクト記憶部２８とリンク処理部２９と検索クライアント２０を有している。
【００４３】
操作部２３は、キーボードやマウスである。テキスト入力処理部２４と画面制御部２６と送受信部２７とは、主に演算制御部を含み構成される。レポートデータ記憶部２５とオブジェクト記憶部２８と検索クライアント２０は、主に主記憶部及び外部記憶部を含み構成される。リンク処理部２９は、主に演算制御部と外部記憶部を含み構成される。送受信部２７は、主に通信コントローラを含み構成される。
【００４４】
テキスト入力処理部２４は、各種の文字キーと文字列６１とを対応づけている。テキスト入力処理部２４は、読影医により文字キーが押下されると、文字押下されたキーに対応する文字列６１を、レポートデータ記憶部２５に記憶されている読影レポート６０に記録する。
【００４５】
画面制御部２６は、レポート作成画面表示部２１とビューア画面表示部２２に表示する画面の画像を生成してレポート作成画面表示部２１とビューア画面表示部２２に出力する。
【００４６】
レポート作成画面２１１の表示制御においては、予めレポート作成画面２１１のフォーマットが用意されている。このフォーマットに従って、操作部２３を用いた入力操作に応じて読影レポート６０に記録された文字列６１を配置していくことでレポート作成画面２１１を作成する。
【００４７】
ビューア画面表示部２２に表示させる画面の表示制御においては、医用画像７１とオブジェクト８２を表示させる。医用画像７１は、送受信部２７とネットワークＮを介して取得する。オブジェクト８２は、オブジェクト記憶部２８に予め記憶されている。オブジェクト８２がマウスを用いてドラッグされると、画面制御部２６は、ドラッグ先にオブジェクト８２を再描画する。
【００４８】
リンク処理部２９は、医用画像７１のリンク付けと臓器情報８１の記録を行う。このリンク処理部２９は、リンク情報入力処理部２９１と臓器情報入力処理部２９２と臓器情報記憶部２９３とを有する。リンク情報入力処理部２９１と臓器情報入力処理部２９２は、主に演算制御部を含み構成される。臓器情報記憶部２９３は、主に外部記憶部を含み構成される。
【００４９】
リンク情報入力処理部２９１は、リンク情報６３を読影レポート６０に記録する。リンク情報入力処理部２９１は、ドラッグされた医用画像７１の保管先アドレス７２を含めたリンクタグとその終了タグを作成し、リンクタグとその終了タグを指定範囲２１２となっている文字列６１で囲むように読影レポート６０に記録する。
【００５０】
臓器情報入力処理部２９２は、読影レポート６０に臓器情報８１を記録する。臓器情報８１は、臓器情報記憶部２９３から読み出す。臓器情報記憶部２９３には、臓器情報８１が記憶されている。
【００５１】
図５は、臓器情報８１の記憶態様を示す図である。臓器情報８１は、オブジェクトＩＤ８３と対にして記憶されている。対となっているオブジェクトＩＤ８３は、オブジェクト記憶部２８に記憶されているオブジェクト８２を識別する情報である。臓器情報８１には、臓器情報８１が示す臓器を表すオブジェクト８２のオブジェクトＩＤ８３が対応づけられている。
【００５２】
臓器情報入力処理部２９２は、医用画像７１がドロップされたオブジェクト８２のオブジェクトＩＤ８３に対応づけられた臓器情報８１を臓器情報記憶部２９３から読み出す。そして、臓器情報入力処理部２９２は、医用画像７１のリンク付け操作により記録されたリンク情報６３のリンクタグに臓器情報８１を付帯させるようにして読影レポート６０に記録する。
【００５３】
検索クライアント２０は、レポート保管装置３に読影レポートの検索要求を行う。レポート保管装置３に対する読影レポート６０の検索条件を生成して送受信部２７に送信させ、読影レポート６０のリストを取得する。取得した読影レポート６０のリストは、画面制御部２６によりレポート作成画面表示部２１に表示させる。また、操作部２３を用いたリストからの読影レポート６０の選択操作に応じて、読影レポート６０のレポートＩＤ６２を送受信部２７に送信させることで、レポート保管装置３に対して読影レポート６０の取得を要求する。
【００５４】
送受信部２７は、画像サーバ５やレポート保管装置３と通信を行い、データの送受信を行う。画像サーバ５からは、操作部２３の操作によって入力された保管先アドレス７２に対応する保管先に存在する医用画像７１を取得する。例えば、クエリー／リトリーブ方式によって医用画像７１を取得する。また、読影レポート６０の保存処理として、レポートデータ記憶部２５に記憶されている読影レポート６０を読み出して、レポート保管装置３に送信する。また、レポート保管装置３に対して検索クライアント２０が作成した検索条件や選択要求を送信し、レポート保管装置３から読影レポート６０のリストや読影レポート６０を受信する。
【００５５】
図６は、このレポート作成装置２のレポート作成動作を示すフローチャートである。
【００５６】
まず、画面制御部２６は、レポート作成画面２１１をレポート作成画面表示部２１に表示させる（Ｓ０１）。また、画面制御部２６は、オブジェクト記憶部２８に記憶されているオブジェクト８２を読み出して（Ｓ０２）、ビューア画面表示部２２に表示させる（Ｓ０３）。
【００５７】
例えば、胃、腸、肝臓等を模したそれぞれのオブジェクト８２がオブジェクト記憶部２８に記憶されており、これらオブジェクト８２をビューア画面表示部２２に表示させる。胃、腸、肝臓等を模したオブジェクト８２の表示位置関係を予め規定しておき、人体内と同一位置関係になるように表示させる。
【００５８】
送受信部２７は、操作部２３の操作に応じて特定された保管先アドレス７２が示す保管先に存在する医用画像７１をネットワークＮを介して取得する（Ｓ０４）。医用画像７１が取得されると、画面制御部２６は、この医用画像７１をビューア画面表示部２２に表示させる（Ｓ０５）。
【００５９】
操作部２３の文字キーが押下されると（Ｓ０６，Ｙｅｓ）、テキスト入力処理部２４は、押下された文字キーに対応する文字列６１を読影レポート６０に記録する（Ｓ０７）。また、画面制御部２６は、押下された文字キーに対応する文字列６１を配置したレポート作成画面２１１を作成してレポート作成画面表示部２１に表示させる（Ｓ０８）。
【００６０】
操作部２３のマウスを用いて、リンク付けする箇所を範囲指定し（Ｓ０９，Ｙｅｓ）、ビューア画面表示部２２に表示されている医用画像７１のドラッグ操作２２１がなされ（Ｓ１０，Ｙｅｓ）、ビューア画面表示部２２に表示されているオブジェクト８２にドロップするドロップ操作２２２がなされると（Ｓ１１，Ｙｅｓ）、リンク処理部２９によるリンク処理が開始される。
【００６１】
リンク処理において、リンク情報入力処理部２９１は、ドラッグ操作２２１がなされた医用画像７１の保管先アドレス７２を取得する（Ｓ１２）。保管先アドレス７２は、送受信部２７が医用画像７１を取得したときに関連づけられて記憶されている。同時に、臓器情報入力処理部２９２は、医用画像７１がドロップされたオブジェクト８２のオブジェクトＩＤ８３をもとに、臓器情報記憶部２９３から、ドロップされたオブジェクト８２が模している臓器を識別する臓器情報８１を取得する（Ｓ１３）。
【００６２】
保管先アドレス７２と臓器情報８１を取得すると、リンク情報入力処理部２９１と臓器情報入力処理部２９２は、保管先アドレス７２を含めたリンク情報６３に臓器情報８１を付帯させ、指定範囲２１２の文字列６１に対応づけて読影レポート６０に記録する（Ｓ１４）。
【００６３】
操作部２３のマウスを用いて保存のためのアイコン２１３が押下されると（Ｓ１５，Ｙｅｓ）、送受信部２７は、レポートデータ記憶部２５から読影レポート６０を読み出して、レポート保管装置３に送信する（Ｓ１６）。
【００６４】
尚、レポート作成装置２では、医用画像７１のリンク付けに代えて、読影レポートへの貼り付け処理を行うようにしてもよい。即ち、リンク処理部２９は、画像入力部として機能し、リンク情報入力処理部２９１は、医用画像入力処理部として機能する。医用画像入力処理部は、Ｓ１２において、ドラッグ操作２２１がなされた医用画像７１を取得し、Ｓ１４において、取得した医用画像７１を読影レポート６０に記録する。臓器情報入力処理部２９２は、同様に、ドロップされたオブジェクト８２が模している臓器を識別する臓器情報８１を取得した後、読影レポート６０に記録すればよい。
【００６５】
次に、レポート作成支援システム１におけるレポート保管装置３のレポートデータベース３３の作成及び読影レポート６０の検索について説明する。図７は、レポート保管装置３の構成を示すブロック図である。また、図８は、レポート保管装置３で作成されるレポートデータベース３３を示すデータ構成図である。
【００６６】
レポート保管装置３は、レポート記憶部３１と登録部３２とレポートデータベース３３と検索部３４とを備える。レポート記憶部３１とレポートデータベース３３とは、主に外部記憶部を含み構成される。登録部３２と検索部３４とは、主に演算制御部を含み構成される。
【００６７】
レポート記憶部３１は、レポート作成装置２から受信した読影レポート６０が記憶される。登録部３２は、レポート作成装置２から受信した読影レポート６０をレポートデータベース３３に登録する。
【００６８】
図８に示すように、レポートデータベース３３には、レポートＩＤ６２と臓器情報８１と保管先アドレス７２とが組にして記憶されている。登録部３２は、受信した読影レポート６０からレポートＩＤ６２と臓器情報８１と保管先アドレス７２を読み出し、それらを組にしてレポートデータベース３３に登録する。組にする臓器情報８１と保管先アドレス７２は、同じリンクタグに含まれている情報同士である。尚、医用画像７１が読影レポート６０に貼り付けられている場合には、レポートＩＤ６２と臓器情報８１とを対にして登録する。
【００６９】
検索部３４は、レポートデータベース３３を参照して読影レポート６０を検索し、該当の読影レポート６０のリストを作成する。詳しくは、検索部３４は、レポート作成装置２から検索条件として送信されてきた臓器情報８１と組になったレポートＩＤ６２が記憶されている読影レポート６０のリストを作成し、レポート作成装置２へ送信する。レポート作成装置２において、送信されてきたリストから閲覧したい読影レポート６０が選択されると、検索部３４は、選択された読影レポート６０をレポート作成装置２に送信する。
【００７０】
図９は、作成されるリストを示す模式図である。読影レポート６０のリストには、読影レポート６０を識別する情報として、レポートＩＤ６２と、臓器情報８１と組になった保管先アドレス７２に対応する医用画像７１とを掲載する。検索部３４は、画像サーバ５にアクセスして保管先アドレス７２が示す保管先に存在する医用画像７１を取得し、サムネイル化して掲載する。
【００７１】
また、検索部３４は、選択された読影レポート６０とともに、リストに掲載した医用画像７１を送信する。図１０は、医用画像７１とともに送信された読影レポート６０の一例を示す模式図である。検索部３４は、検索条件として受信した臓器情報８１が付帯されたリンク情報６３のリンクタグとその終了タグとで囲まれる文字列６１を色づけ６４を行い、ともに送信する医用画像７１に同一色の縁取り７３を施してもよい。
【００７２】
なお、検索部３４は、読影レポート６０を識別する情報として、検索された読影レポート６０に記録されている検査日付や病名等を掲載してもよい。また、検索部３４は、選択された読影レポート６０のみを送信するようにしてもよい。
【００７３】
図１１は、このようなレポート保管装置３のレポートデータベース３３への登録動作を示すフローチャートである。
【００７４】
読影レポート６０をレポート作成装置２から受信すると（Ｓ２１）、登録部３２は、受信した読影レポート６０にリンク情報６３が付帯していれば、リンク情報６３に付帯している保管先アドレス７２と臓器情報８１とを対にして読み出し（Ｓ２２）、さらにレポートＩＤ６２を読み出す（Ｓ２３）。医用画像７１が貼り付けられており、リンク情報６３がない場合には、臓器情報８１とレポートＩＤ６２を読み出す。
【００７５】
例えば、「００１」を示すレポートＩＤ６２を有する読影レポート６０には、「画像サーバ５￥画像￥ヤマダ￥医用画像Ｐ．ｊｐｇ」を示す保管先アドレス７２と「胃」を示す臓器情報８１が同一リンク情報６３に付帯し、「画像サーバ５￥画像￥ヤマダ￥医用画像Ｑ．ｊｐｇ」を示す保管先アドレス７２と「胃底」示す臓器情報８１が別の同一リンク情報６３に付帯しているものとする。
【００７６】
この場合、「画像サーバ５￥画像￥ヤマダ￥医用画像Ｐ．ｊｐｇ」を示す保管先アドレス７２と「胃」を示す臓器情報８１の対と、「画像サーバ５￥画像￥ヤマダ￥医用画像Ｑ．ｊｐｇ」を示す保管先アドレス７２と「胃底」を示す臓器情報８１の対と、「００１」を示すレポートＩＤ６２とを読影レポート６０から読み出す。
【００７７】
保管先アドレス７２と臓器情報８１の対とレポートＩＤ６２とを読み出すと、登録部３２は、保管先アドレス７２と臓器情報８１の対とレポートＩＤ６２とを組にしてレポートデータベース３３に記録する（Ｓ２４）。臓器情報８１とレポートＩＤ６２とが読み出された場合には、登録部３２は、臓器情報８１とレポートＩＤ６２とを組にしてレポートデータベース３３に記録する。
【００７８】
例えば、「画像サーバ５￥画像￥ヤマダ￥医用画像Ｐ．ｊｐｇ」を示す保管先アドレス７２と「胃」を示す臓器情報８１の対と、「画像サーバ５￥画像￥ヤマダ￥医用画像Ｑ．ｊｐｇ」を示す保管先アドレス７２と「胃底」を示す臓器情報８１の対と、「００１」を示すレポートＩＤ６２を組にして同一レコードに記録する。
【００７９】
図１２は、レポート保管装置３のレポートデータベース３３の検索動作を示すフローチャートである。
【００８０】
レポート保管装置３から検索条件として臓器情報８１を受信すると（Ｓ３１）、検索部３４は、レポートデータベース３３を参照して、受信した臓器情報８１と組になっているレポートＩＤ６２と保管先アドレス７２とを検索する（Ｓ３２）。
【００８１】
該当の情報が見つかると、該当の保管先アドレス７２が示す保管先の医用画像７１を画像サーバ５から取得し（Ｓ３３）、サムネイル化する（Ｓ３４）。
【００８２】
そして、該当するレポートＩＤ６２とサムネイル化した医用画像７１とを掲載した読影レポート６０のリストを作成し（Ｓ３５）、レポート作成装置２へ送信する（Ｓ３６）。
【００８３】
リストから選択された読影レポート６０を要求するためのレポートＩＤ６２をレポート保管装置３から受信すると（Ｓ３７）、受信したレポートＩＤ６２を有する読影レポート６０をレポート記憶部３１から読み出し（Ｓ３８）、さきに取得した医用画像７１とともにレポート作成装置２へ送信する（Ｓ３９）。
【００８４】
例えば、「胃」を示す臓器情報８１と「画像サーバ５￥画像￥ヤマダ￥医用画像Ｐ．ｊｐｇ」を示す保管先アドレス７２と「００１」を示すレポートＩＤ６２の組がレポートデータベース３３に登録されており、「胃」を示す臓器情報８１を検索条件として受信したものとする。
【００８５】
このとき、検索部３４は、「胃」を示す臓器情報８１が含まれているレコードをレポートデータベース３３から探し、見つかったレコードにふくまれている「００１」を示すレポートＩＤ６２を読み出す。そして、検索部３４は、「００１」を示すレポートＩＤ６２が記録された読影レポート６０をリスト化し、レポート作成装置２へ送信する。読影レポート６０を識別する情報として医用画像７１をリストに掲載する場合、保管先アドレス７２も読み出し、「画像サーバ５￥画像￥ヤマダ￥医用画像Ｐ．ｊｐｇ」で示される保管先から医用画像７１を取得してサムネイル化する。
【００８６】
レポート作成装置２では、画面制御部２６によりリストがレポート作成画面表示部２１に表示される。医用画像７１を読影レポート６０を識別する情報としてリストに掲載した場合は、サムネイル化された医用画像７１が読影レポート６０を識別する情報として並ぶリストが表示される。
【００８７】
このリストから選択された読影レポート６０を示す「００１」のレポートＩＤ６２が送信されると、検索部３４は、「００１」を示すレポートＩＤ６２が記録された読影レポート６０をレポート記憶部３１から読みだし、レポート作成装置２へ送信する。または、更に「画像サーバ５￥画像￥ヤマダ￥医用画像Ｐ．ｊｐｇ」で示される保管先から取得した医用画像７１をともに送信する。検索部３４は、例えば、送信の前に「胃」を示す臓器情報８１が付帯されたリンク情報６３がリンク付けされた文字列６１を色づけ６４を行い、取得した医用画像７１を同一色で縁取り７３する。
【００８８】
以上のように、レポート作成支援システム１では、表示された一枚の医用画像７１及びこの医用画像７１の人体区域情報を指定する操作を受けて、指定された人体区域情報を読影レポート６０に記録する。そして、読影レポート６０とこの読影レポート６０に記録された人体区域情報とを対応づけてレポートデータベース３３に登録し、一の人体区域情報が指定されると、レポートデータベース３３に基づき、指定された人体区域情報に対応づけられた読影レポート６０を検索するようにした。これにより、人体の各種区域と結びついた過去の読影レポート６０の検索が容易となる。
【００８９】
例えば、レポート作成支援システム１では、表示された一枚の医用画像７１及びこの医用画像７１の人体区域情報を指定するリンク付け操作を受けて、医用画像７１の保管先を示すリンク情報６３と指定された人体区域情報とを読影レポート６０に記録する。
【００９０】
また、例えば、レポート作成支援システム１では、表示された一枚の医用画像７１及びこの医用画像７１の人体区域情報を指定する操作を受けて、指定された医用画像７１と人体区域情報とを読影レポート６０に記録する。
【００９１】
なお、人体区域情報の記録は、リンク情報６３に付帯させるほか、読影レポート６０のヘッダ等に付帯させてもよい。
【００９２】
また、人体区域情報とこの人体区域情報を表すオブジェクト８２とを関連づけて記憶しておき、人体区域情報としてオブジェクト８２を表示し、ドラッグされた医用画像７１がオブジェクト８２にドロップされると、ドラッグされた医用画像７１のリンク情報６３とドロップされたオブジェクト８２と関連づけられた人体区域情報とを読影レポート６０に記録するようにした。
【００９３】
また、人体区域情報とこの人体区域情報を表すオブジェクト８２とを関連づけて記憶しておき、人体区域情報としてオブジェクト８２を表示し、ドラッグされた医用画像７１がオブジェクト８２にドロップされると、ドラッグされた医用画像７１と、ドロップされたオブジェクト８２と関連づけられた人体区域情報とを、読影レポート６０に記録するようにした。
【００９４】
これにより、一般的なリンク付けであるドラッグアンドドロップの操作を行うだけで、人体区域情報と読影レポート６０とが結びつけられ、読影医が煩雑な操作をおこなう必要が無い。
【００９５】
本実施形態では、人体区域情報として、臓器情報８１を例に説明したが、そのほか、胃上部等の臓器をさらに細分化した区域を示す情報や、肩等の部位を更に細分化した区域を示す情報であってもよく、これら情報を表すオブジェクト８２と関連づけて記憶しておくようにしてもよい。
【００９６】
また、リンク付け操作や医用画像を貼り付ける画像入力操作を受けて、記録されたリンク情報６３に付帯させて人体区域情報を記録することにより、読影レポート６０に含まれ、検索条件とした人体区域情報が表す人体内の一区域を写した医用画像７１を自動的に提示することができる。
【００９７】
また、読影レポート６０の検索においては、該当する読影レポート６０のリストとして、該当する読影レポート６０を識別する情報として人体区域情報が付帯したリンク情報６３が示す保管先の医用画像７１を掲載したリストを作成する。これにより、検査部位や検査日付等の読影レポート６０を識別する情報をリストに掲載する場合と比べて、より直感的に参照したい読影レポート６０を選択することができる。
【００９８】
なお、レポート作成装置２は、１台のコンピュータであっても、読影レポート６０を作成するコンピュータと、医用画像７１及びオブジェクト８２を表示するコンピュータとにより構成されるにしてもよい。別々のコンピュータで構成される場合には、読影レポート６０を作成するコンピュータにレポート作成画面表示部２１を配し、医用画像７１及びオブジェクト８２を表示するコンピュータにビューア画面表示部２２を配し、ＬＡＮ接続する等して通信可能とし、リンク処理やカーソル移動の処理を連動させる。
【００９９】
即ち、レポート作成画面表示部２１からカーソルがビューア画面表示部２２へ、及びその逆へ移動可能にしておく。また、ドラッグされた医用画像７１とドロップされたオブジェクト８２を識別する情報及びドラッグアンドドロップを示す情報を、医用画像７１及びオブジェクト８２を表示するコンピュータから読影レポート６０を表示するコンピュータへ通知する。
【図面の簡単な説明】
【０１００】
【図１】レポート作成支援システムの全体構成を示すブロック図である。
【図２】レポート作成装置で表示される画面を示す模式図である。
【図３】レポート作成装置によって作成される読影レポートのデータ構成を示す図である。
【図４】レポート作成装置の詳細構成を示すブロック図である。
【図５】臓器情報の記憶態様を示す図である。
【図６】レポート作成装置のレポート作成動作を示すフローチャートである。
【図７】レポート保管装置の構成を示すブロック図である。
【図８】レポート保管装置で作成されるレポートデータベースを示すデータ構成図である。
【図９】作成されるリストを示す模式図である。
【図１０】医用画像とともに送信された読影レポートの一例を示す模式図である。
【図１１】レポート保管装置のレポートデータベースへの登録動作を示すフローチャートである。
【図１２】レポート保管装置のレポートデータベースの検索動作を示すフローチャートである。
【符号の説明】
【０１０１】
１      レポート作成支援システム
２      レポート作成装置
２１    レポート作成画面表示部
２１１  レポート作成画面
２１２  指定範囲
２２    ビューア画面表示部
２２１  ドラッグ操作
２２２  ドロップ操作
２３    操作部
２４    テキスト入力処理部
２５    レポートデータ記憶部
２６    画面制御部
２７    送受信部
２８    オブジェクト記憶部
２９    リンク処理部
２９１  リンク情報入力処理部
２９２  臓器情報入力処理部
２９３  臓器情報記憶部
３      レポート保管装置
３１    レポート記憶部
３２    登録部
３３    レポートデータベース
３４    検索部
４      画像診断装置
５      画像サーバ
６０  読影レポート
６１  文字列
６２  レポートＩＤ
６３  リンク情報
７１  医用画像
７２  保管先アドレス
８１  臓器情報
８２  臓器オブジェクト
８３  オブジェクトＩＤ
Ｎ      ネットワーク
【図１】
0005248157.tif 000002
【図３】
0005248157.tif 000003
【図４】
0005248157.tif 000004
【図６】
0005248157.tif 000005
【図７】
0005248157.tif 000006
【図８】
0005248157.tif 000007
【図９】
0005248157.tif 000008
【図１１】
0005248157.tif 000009
【図１２】
0005248157.tif 000010
【図２】
0005248157.tif 000011
【図５】
0005248157.tif 000012
【図１０】
0005248157.tif 000013